(57)【特許請求の範囲】
【請求項１】
電動送風機、集塵袋等を内蔵する掃除機本体と、該掃除機本体に吸引用ホース又は延長管を介して連結された床用吸込具とを具備し、
前記掃除機本体、吸引用ホース、延長管及び床用吸込具の少なくとも１つに、ダニの繁殖が活発化する環境状態を検知するダニ検知器と、前記電動送風機によって発生する吸引空気流により回転してその出力により前記ダニ検知器を駆動する発電機と、発電機の出力が給電される１個の塵埃表示器とを設け、
該塵埃表示器をダニ検知器の出力信号によって制御することを特徴とする電気掃除機。
【請求項２】
ダニ検知器の出力に対応して、吸引空気通路内の塵埃を検知する塵埃センサの塵埃検出精度を向上させることを特徴とする請求項１記載の電気掃除機。
【請求項３】
電動送風機、集塵袋等を内蔵する掃除機本体と、該掃除機本体に吸引用ホース又は延長管を介して連結された床用吸込具とを具備し、
前記掃除機本体、吸引用ホース、延長管及び床用吸込具の少なくとも１つに、ダニの繁殖が活発化する環境状態を検知するダニ検知器と、前記電動送風機によって発生する吸引空気流により回転してその出力により前記ダニ検知器を駆動する発電機と、吸引空気通路内の塵埃を検知する塵埃センサからの信号により塵埃情報を表示する塵埃表示器を設け、
該塵埃表示器に発電機の出力を給電し、ダニ検知器の出力に対応して、塵埃センサの塵埃検出精度を向上させることを特徴とする電気掃除機。
【請求項４】
ダニ検知器の出力に対応して、電動送風機の吸引力を強化することを特徴とする請求項１、２又は３記載の電気掃除機。
【発明の詳細な説明】
【０００１】
【発明の属する技術分野】
本発明は、電気掃除機に係り、さらに詳しくは、ダニの繁殖が活発化する環境状態と、吸引される塵埃の状況とを表示するようにした電気掃除機に関するものである。
【０００２】
【従来の技術】
近年、ダニによる健康疾患が叫ばれ、特に、アトピー患者の増加に伴い社会問題に発展している。そのような中で、電気掃除機により吸引したダニを熱風で退治したり、例えば、特公平２−２６４６２２号公報に記載されているように、ダニの繁殖が活発化する室内の環境状態、すなわち、温度が２０〜３０℃、湿度が６０〜８０％になると、このダニ情報を表示して使用者に注意を喚起して、念入りに掃除を行うようにしている。
【０００３】
また、使用者に床面の清掃状態を知らせて効率のよい掃除を行えるようにするために、例えば、特公平５−４８６８８号公報においては、電気掃除機の床用吸込具の吸引空気通路内に塵埃センサを設け、吸引空気の中に塵埃が含まれていると、塵埃センサがこれを検知して表示ランプなどで表示することにより、使用者に表示ランプなどが消灯するまで掃除の継続を告知している。これにより、床面の清掃効率の向上を図っている。
【０００４】
さらに、掃除機本体から離れて使用する付属部品である床用吸込具などにおいても、掃除機本体からの電力を不要とし、独自に電気部品を駆動させるために、例えば、特開平６−９８８４６号公報に開示されているように、床用吸込具などに発電機を搭載することにより電気部品である塵埃センサを駆動し、通過する塵埃の有無を検知するようにしたものがある。これにより、掃除機本体からの電力供給用配線を不要とし、電気的接続に伴う接触不良や組立作業の改善を図っている。
【０００５】
【発明が解決しようとする課題】
上記の従来の電気掃除機において、特開平２−２６４６２２号公報に記載された発明は、室内の環境状態を表示するだけなので、使用者にとっては床面をどの程度念入りに掃除をすればよいのか不明確であった。
また、特公平５−４８６８８号公報に記載された発明は、床面から吸引される塵埃の有無を表示するだけで、室内の環境状態に伴う表示や吸引力の調整が加味されていないために、例えば、乾燥しているときの塵埃は比較的軽いため吸引し易く、逆に、湿度が高いときの塵埃は比較的重く吸引し難いことに対する対策、さらに、特殊な環境状態下で繁殖し易いダニやカビ等の微生物の吸引対策などがいずれもわかりにくく、対応が不明確であった。
【０００６】
さらに、特開平６−９８８４６号公報に記載された発明は、塵埃センサを床用吸込具に搭載した発電機により電力を供給して駆動するようにしているが、室内の環境状態等の表示は加味されておらず、発電機を積極的に有効利用していない。
【０００７】
本発明は、上記の課題を解決するためになされたもので、ダニの繁殖が活発化する室内の環境状態によるダニ情報と、吸引空気通路内を通過する空気流中の塵埃情報の両者又は何れか一方を検知することにより、塵埃やダニ等の微生物を効率よく掃除機本体に吸引捕集することのできる電気掃除機を得ることを目的としたものである。
また、本発明は、プリント基板、塵埃センサ、ダニ検知器及び表示器への給電を掃除機本体からの電力供給用配線を用いることなく、吸引空気流によって発電する発電機により行うようにした電気掃除機を得ることを目的としたものである。
【０００９】
【課題を解決するための手段】
（１）本発明に係る電気掃除機は、電動送風機、集塵袋等を内蔵する掃除機本体と、この掃除機本体に吸引用ホース又は延長管を介して連結された床用吸込具とを具備し、掃除機本体、吸引用ホース、延長管及び床用吸込具の少なくとも１つに、ダニの繁殖が活発化する環境状態を検知するダニ検知器と、電動送風機によって発生する吸引空気流により回転してその出力により前記ダニ検知器を駆動する発電機と、発電機の出力が給電される１個の塵埃表示器とを設け、この塵埃表示器をダニ検知器の出力信号によって制御するようにした。
（２）上記（１）の電気掃除機において、ダニ検知器の出力に対応して、塵埃センサの塵埃検出精度を向上させるようにした。
【００１０】
（３）また本発明に係る電気掃除機は、電動送風機、集塵袋等を内蔵する掃除機本体と、この掃除機本体に吸引用ホース又は延長管を介して連結された床用吸込具とを具備し、掃除機本体、吸引用ホース、延長管及び床用吸込具の少なくとも１つに、ダニの繁殖が活発化する環境状態を検知するダニ検知器と、電動送風機によって発生する吸引空気流により回転してその出力により前記ダニ検知器を駆動する発電機と、吸引空気通路内の塵埃を検知する塵埃センサからの信号により塵埃情報を表示する塵埃表示器を設け、この塵埃表示器に発電機の出力を給電し、ダニ検知器の出力に対応して、塵埃センサの塵埃検出精度を向上させるようにした。
（４）上記（１）、（２）又は（３）の電気掃除機において、ダニ検知器の出力に対応して、電動送風機の吸引力を強化するようにした。
【００１５】
【発明の実施の形態】
実施の形態１．
図１は本発明の実施の形態１に係る電気掃除機の全体構成を示す説明図、図２は図１の床用吸込具の斜視図、図３は図２の底面図である。
図１において、Ｆは板床や絨毯床などからなる床面、１は床面Ｆ上に置かれた掃除機本体で、吸気口及び排気口を有し、電動送風機２、集塵袋３などを内蔵している。４は可撓性を有する吸引用ホースで、一端に掃除機本体１の吸気口に接続する接続部５を有し、他端には手許スイッチ７を備えた把持部６が設けられている。８は一端が把持部６に接続され、他端が後述の床用吸込具１０に接続される長さ調節可能の延長管である。
【００１６】
１０は延長管８又は把持部６に接続されて掃除機本体１に連結された床用吸込具で、その詳細を図２、図３に示す。両図において、１１はケース、１２はケース１１の外周に設けたバンパである。ケース１１は図面では省略してあるが、上下が分離可能に形成されており、さらに、上側の前面が取外し可能になっている。そして、ケース１１の前面側には、下方に開口するブラシ収容部１３が設けられており、このブラシ収容部１３内には、両端部がケース１１に設けた軸受１４ａ，１４ｂに回転自在に支持されたロータリブラシ１５が収容されている。１６はロータリブラシ１５の外周に植毛されたブラシ毛である。１７はブラシ収容部１３の後部側に設けられた吸込口、１８ａ，１８ｂ，１８ｃはケース１１の上面に設けた複数の空気穴である。なお、この空気穴１８ａ〜１８ｃはケース１１の側壁に設けてもよく、あるいは、上面から側壁にかけて設けてもよい。
【００１７】
２０はケース１１の後部に取付けられたエルボで、図４に示すように、長手方向に開口部２３を有し、両端部に中空軸２４ａ，２４ｂが突設された円筒部２２と、この円筒部２２と一体に形成された二重壁からなる連結部２５と、連結部２５の内壁が延出された接続部２６とからなり、連結部２５の外壁の接続部２６側は大径に形成されて内壁との間に室２７が設けられている。なお、この室２７は、連結部２５の外壁に対向して突設した中空の突出部により形成してもよい。
【００１８】
室２７内には、先端部が内壁から露出した発光部３１と受光部３２が対向して取付けられており、これらにより塵埃センサ３０を構成している。そして、これら発光部３１及び受光部３２のリード線は、連結部２５の内壁と外壁との間を通り、連結部２５の外壁に設けた取出口２８からケース１１内に導かれている。なお、塵埃センサ３０は他の方式のものを用いてもよい。
このエルボ２０は円筒部２２がケース１１内に収容され、中空軸２４ａ，２４ｂがケース１１に設けた軸受１４ｃ，１４ｄによって回動可能に支持されており、連結部２５及び接続部２６はケース１１に設けた大きな開口部１１ａから外部に突出している。そして、前述の吸込口１７と、上記の円筒部２２、連結部２５及び接続部２６とにより吸引空気通路２１が形成されている。
【００１９】
３５はタービン（羽根車）で、吸引空気通路２１を形成するエルボ２０の円筒部２２内に、吸込口１７と対向して配設され、その出力軸３６はエルボ２０の中空軸２４ｂ、ケース１１に設けた軸受１４ｄ，１４ｅに回転自在に支持されている。３７は出力軸３６に固定された小径のプーリ、３８はロータリブラシ１５の軸に固定された大径のプーリで、両プーリ３７，３８の間にはベルト３９が掛けられている。
【００２０】
上記のような床用吸込具１０において、掃除機本体１の電動送風機２が駆動されると、塵埃等を含む外気がケース１１のブラシ収容部１３の開口部から吸引され、吸引空気通路２１を経て集塵袋３に捕集されるが、このとき、吸引された空気流によってタービン３５が回転駆動される。タービン３５の回転は、出力軸３６、プーリ３７、ベルト３９を介してプーリ３８に伝達され、減速されてロータリブラシ１５に伝えられ、ロータリブラシ１５を回転駆動する。
【００２１】
一方、塵埃センサ３０の発光部３１からは、受光部３２に向って連続的又は間欠的に光が投射されており、受光部３２が受光した光量によって、吸引空気通路２１を通過する空気流に含まれる塵埃等の量又は有無、あるいは単位時間当りの塵埃の量が検知される。
【００２２】
４１は発電装置で、図５に示すように、発電機４２及びそのロータ軸に取付けられたタービン（羽根車）４３（以下タービン４３を含む発電機４２を単に発電機４２と記すことがある）からなり、ケース１１に設けられて発電機４２を保持する保持リブ１９と、軸受１４ｃとの間に装着された円筒状のカバー４４内に収容されている。４５はカバー４４の端部に設けられ、エルボ２０の中空軸受２４ａに連通する開口部、４６ａ，４６ｂはカバー４４に設けた通気穴である。
【００２３】
４７はケース１１のブラシ収容部１３と、上述の発電機４２との間に配設されたダニ情報を検知するダニ検知器で、本実施の形態では温湿度センサを用いた。なお、ダニ検知器４７は、温度センサ又は湿度センサの何れか一方のみにより、単一のダニ情報を得るようにしてもよい。
４８ａ，４８ｂ（以下単に４８と記すことがある）は電子部品などが搭載されて直流電源回路、制御回路などが形成されたプリント基板で、ケース１１に設けた空気穴１８ａ〜１８ｃの近傍に設置されている。なお、このプリント基板４８ａ，４８ｂは１枚に纏めてもよく、あるいは、３枚以上に分割してもよい。
【００２４】
５１（図２）は発電装置４１の上方においてケース１１に設けられた表示部で、例えば、図６に示すように、ダニ情報を表示するダニ表示器５２と、吸引空気通路２１内を通過する塵埃の状態を表示する塵埃表示器５３とからなっている。なお、これらダニ表示器５２及び塵埃表示器５３は、図６の例に代えて、異なる色のランプを用いたり指針により指示するなど、他の手段を用いてもよい。
【００２５】
上述のような発電装置４１は、電動送風機２が駆動されて吸引空気通路２１内が負圧になると、空気穴１８ａ〜１８ｃから外気が吸引され、ケース１１内に流入する。この外気はダニ検知器４７の周囲を通過して室内の温湿度が検知され、通気穴４６ａ，４６ｂからカバー４４内に流入してタービン４３を回転させ、中空軸受２４ａから吸引空気通路２１に吸引される。
タービン４３の回転により発電機４２が回転して発電し、その交流出力は直流に変換されてプリント基板４８ａ，４８ｂ、塵埃センサ３０、ダニ検知器４７及び表示部５１に駆動電源として供給される。
【００２６】
次に、上記のように構成した本実施の形態の作用を説明する。図７において、掃除機本体１の電動送風機２を駆動すると、床用吸込具１０から塵埃等を含む空気を吸引してタービン３５によりパワーブラシ１５を回転駆動すると共に、空気穴１８ａ〜１８ｃから吸引された空気流により発電装置４１のタービン４３が駆動され、ロータの回転により発電機４２は交流電力を出力する。この交流出力は直流電源回路６４により直流に変換され、プリント基板４８、ダニ検知器４７、塵埃センサ３０及び表示部５１などに給電される。
【００２７】
一方、空気穴１８ａ〜１８ｃから流入してダニ検知器４７で検知された室内空気の温度及び湿度は、温度比較回路６６で設定温度（例えば２０℃）と比較され、また、湿度比較回路６７で設定湿度（例えば６０％）と比較される。
また、塵埃センサ３０は吸引空気通路２１内を通過する空気流中に含まれる塵埃等の量、あるいは単位時間当りの塵埃等の量を検出し、その検出信号を塵埃検出回路６９に加える。
【００２８】
先ず、ダニ検知器４７で検知した室内の温度及び湿度が設定温度及び設定湿度より何れも低い場合は、ダニ情報はなく、温湿度比較回路６５からは信号が出力されない。一方、塵埃センサ３０からの検出信号を受信した塵埃検出回路６９は、その出力信号を破線６１で示すように表示器駆動手段７１に送り、表示器駆動手段７１はこの信号に基いて塵埃表示器５３を駆動（点灯）する。このとき、ダニ表示器５２は点灯しておらず、ダニの繁殖環境でないことを示している。塵埃センサ３０の検出信号が零になるとその結果が表示器駆動手段７１に送られ、塵埃表示器５３は消灯するので、これにより掃除を終了する。
【００２９】
次に、室内温度及び室内湿度の両者又は何れか一方が設定値より高い場合は、温湿度比較回路６５から塵埃センサ感度設定手段６８に信号を送り、塵埃センサ３０の感度をこれに対応した感度に変更する（例えば、それまで１μｍまでの塵埃等を検出していたのを、０．５μｍまでの塵埃等を検出するようにする）。
そして、塵埃検出回路６９は感度を変更した旨の信号を表示時間設定手段７０に送り、上記感度変更に対応した時間の間塵埃表示器５３が点灯しうるように点灯時間を変更する。換言すれば、時間をかけて丁寧に掃除しうるように点灯時間を延長する。この表示時間設定手段７０の出力信号は表示器駆動手段７１に送られてダニ表示器５２を点灯すると共に、変更した時間だけ塵埃表示器５３を点灯する。
所定の時間が経過すると、ダニ表示器５２及び塵埃表示器５３は消灯する。
【００３０】
このように、本実施の形態においては、ダニが繁殖しない季節（環境条件）では、掃除機本体１の電動送風機２が駆動されて吸引を開始すると塵埃表示器５３が点灯し、吸引した空気流中に塵埃等がなくなると消灯するので、塵埃表示器５３が点灯している間掃除を行えば、床面等をきれいに掃除することができる。この場合、ダニ検知器４７は、床面Ｆに最も近い位置に設けられているので、ダニ情報を的確に検出することができる。
【００３１】
また、ダニが繁殖する環境になると、送風電動機２の作動によりダニ検知器４７が室内の温度と湿度又は何れか一方を検出し、これが設定値を超えると塵埃センサ３０の感度が変更されると共に、塵埃表示器５３の点灯時間が延長されて、ダニ表示器５２と塵埃表示器５３の両者が点灯する。これにより、塵埃表示器５３が点灯している間、念入りに掃除を行うことにより微細な塵埃等まで吸引すると共に、ダニを確実に捕集することができる。
【００３２】
なお、ダニの繁殖環境下において、ダニ情報が得られたときは塵埃センサ３０の感度調整だけを行って、ダニ表示器５２及び塵埃表示器５３を点灯させるようにしてもよく（図７の破線６１）、あるいは、塵埃センサ３０の感度調整及び塵埃表示器５３の点灯時間の変更を行わず、ダニ表示器５２及び塵埃表示器５３を点灯するようにしてもよい（図７の破線６２）。
【００３３】
上記のようにして集塵袋３内に捕集されたダニは、例えば、吸引用ホース４の把持部６側を掃除機本体１の排気口に接続し、加熱した空気の循環回路を形成して電動送風機２を駆動すれば、集塵袋３内の塵埃等に混入したダニを死滅させることができる。
【００３４】
実施の形態２．
本実施の形態は、上述の実施の形態１におけるダニ表示器５２及び塵埃表示器５３に代えて、表示部５１に発電機４２から給電される２個又は３個以上の表示器を設け、これら表示器のうちの１つ（以下表示器Ａという）をダニ検知器４７からの信号（ダニ情報）によって制御し、他の表示器（以下表示器Ｂという）は、例えば、塵埃センサ３０からの塵埃情報を表示し、あるいは、掃除の粗密に応じて切換えて塵埃情報を表示するようにしたものである。すなわち、ダニ検知器４７、したがって温湿度比較回路６５からの信号（ダニ情報）がないときは、塵埃センサ３０からの信号（塵埃情報）により表示器Ｂのみが点灯し、ダニ情報があったときは表示器Ａと表示器Ｂが点灯する。この場合、ダニ情報があったときは、温湿度比較回路６５からの信号により塵埃センサ３０の感度を変更し、また、表示器Ｂの表示時間を変更してもよい。
【００３５】
本実施の形態によれば、ダニの繁殖環境かどうかを容易に知ることができ、また表示器Ｂが点灯している間掃除を行えばよいので、塵埃が無くなるまで掃除を行うことができ、ダニを捕集することができる。
【００３６】
実施の形態３．
本実施の形態は、実施の形態１における表示部５１に１個の塵埃表示器５３のみを設け、この塵埃表示器５３をダニ検知器４７（温湿度比較回路６５）の出力信号により制御するようにしたものである。すなわち、塵埃表示器５３は、ダニ検知器４７からのダニ情報がないときは、塵埃センサ３０からの信号により塵埃情報を表示するので、これに基いて塵埃表示器５３が点灯している間掃除を行う。
【００３７】
また、ダニ検知器４７からのダニ情報があったときは、温湿度比較回路６５の出力信号により、塵埃センサ３０の感度を変更し、また、塵埃表示器５３の表示時間を変更して塵埃表示器５３を点灯する。これにより、ダニを確実に捕集することができる。
本実施の形態によれば、表示部５１の構造を簡素化することが出来る。
【００３８】
実施の形態４．
図８は本発明に係る実施の形態４の要部の説明図である。本実施の形態においては、ダニの繁殖が活発化する室内の環境状態を表示するダニ表示器５２ａ、及びダニが駆除されたことを表示するダニ駆除表示器５２ｂと、吸引空気通路２１内を通過する塵埃の存在を表示する塵埃表示器５３ａ、及び吸引空気通路２１内を通過する塵埃が無くなったことを表示する塵埃除去表示器５３ｂによって表示部５１を構成したものである。なお、これら各表示器５２ａ，５２ｂ、５３ａ，５３ｂは、図８の例に代えて、異なる色のランプを使用するなど、他の手段を用いてもよい。
【００３９】
次に、上記のような表示部５１を備えた本実施の形態の作用を、図９により説明する。ダニ検知器４７で検知した室内の温度及び湿度が設定温度及び設定湿度より何れも低い場合は、ダニ情報はなく、温湿度比較回路６５からは信号が出力されない。一方、塵埃センサ３０からの検出信号を受信した塵埃検出回路６９は、その出力信号を破線６１で示すように表示器駆動手段７１に送り、表示器駆動手段７１はこの信号に基いて塵埃表示器５３ａを駆動（点灯）するが、塵埃除去表示器５３ｂは点火しない。また、ダニ表示器５２ａ及びダニ駆除表示器５２ｂも点灯しておらず、ダニの繁殖環境でないことを示している。塵埃センサ３０の検出信号が零になるとその結果が表示器駆動手段７１に送られ、塵埃表示器５３ａが消灯し、塵埃除去表示器５３ｂが点灯するので、これにより掃除を終了する。
【００４０】
次に、室内温度及び室内湿度の両者又は何れか一方が設定値より高い場合は、温湿度比較回路６５から塵埃センサ感度設定手段６８に信号を送り、塵埃検出回路６９の感度をこれに対応した感度に変更する。
そして、塵埃検出回路６９は感度を変更した旨の信号を表示時間設定手段７０に送り、上記感度変更に対応した時間の間塵埃表示器５３ａが点灯しうるように点灯時間を変更する。換言すれば、時間をかけて丁寧に掃除しうるように塵埃表示器５３ａの点灯時間を延長する。この表示時間設定手段７０の出力信号は表示器駆動手段７１に送られてダニ表示器５２ａを点灯すると共に、変更した時間だけ塵埃表示器５３ａを点灯する。
所定の時間が経過すると、ダニ表示器５２ａ及び塵埃表示器５３ａが消灯し、ダニ駆除表示器５２ｂ及び塵埃除去表示器５３ｂが点灯するので、これをみて掃除を終了する。
【００４１】
このように、本実施の形態においては、ダニが繁殖しない季節（環境条件）では、掃除機本体１の電動送風機２が駆動されて吸引を開始すると塵埃表示器５３ａが点灯し、吸引した空気流中に塵埃等がなくなると消灯して塵埃除去表示器５３ｂが点灯するので、この間掃除を行えば、床面等をきれいに掃除し、ダニを捕集することができる。
【００４２】
また、ダニが繁殖する環境になると、送風電動機２の作動によりダニ検知器４７が室内の温度と湿度又は何れか一方を検知し、これが設定値を超えると塵埃センサ３０の感度が変更されると共に、塵埃表示器５３ａの点灯時間が延長されて、ダニ表示器５２ａと塵埃表示器５３ａの両者が点灯する。これにより、塵埃表示器５３ａ及びダニ表示器５２ａが消灯し、塵埃除去表示器５３ｂ及びダニ駆除表示器５２ｂが点灯するまでの間、念入りに掃除を行うことにより微細な塵埃等まで吸引すると共に、ダニを確実に捕集することができる。
【００４３】
なお、ダニの繁殖環境下において、ダニ情報が得られたときは塵埃センサ３０の感度調整だけを行って、ダニ表示器５２ａ及び塵埃表示器５３ａを点灯させ、塵埃が無くなったときはこれらを消灯してダニ駆除表示器５２ｂ及び塵埃除去表示器５３ｂが点灯するようにしてもよく（図９の破線６１）、あるいは、塵埃センサ３０の感度調整及び塵埃表示器５３ａの点灯時間の変更を行わず、ダニ表示器５２ａ及び塵埃表示器５３ａを点灯し、塵埃が無くなったときはこれらを消灯してダニ駆除表示器５２ｂ及び塵埃除去表示器５３ｂを点灯するようにしてもよい（図９の破線６２）。
【００４４】
実施の形態５．
本実施の形態は、ダニ情報が得られたときは、上述の各種作用のいずれかに加えて、図７又は図９に破線６３で示すように、温湿度比較回路６５の出力信号を電動送風機２に加えてこれを制御し、その吸引力を強化するようにしたものである。
本実施の形態によれば、より強力な吸引力により微細な塵埃等を確実かつ短時間に吸引し、これに混入したダニを捕集することができる。
【００４５】
上記の各実施の形態においては、タービン４３を備えた発電機４２を床用吸込具１０に設けた場合を示したが、発電機４２を掃除機本体１、吸引用ホース４あるいは延長管８など、吸引空気の流入通路中であれば他の場所に設けてもよい。
また、上記の各実施の形態ではダニ検知器４７をタービン４３を含む発電機４２とブラシ収容部１３との間に配設した場合を示したが、吸引空気の流入通路中であれば掃除機本体１、吸引用ホース４の把持部６、延長管８等他の場所に設けてもよい。しかし、発電機４２の周囲を通過後の空気は加熱されているため正確に室内温度及び湿度を測定できないので、タービン４３を含む発電機４２の上流側の吸引空気流中に設けることが必要であり、さらに、床面近傍の環境条件を検知するためには、なるべく床面Ｆに近い位置に設けることが望ましい。
【００４６】
また、各実施の形態においては、図２及び図３で示した床用吸込具１０に本発明を実施した場合を示したが、例えば、タービン３５を省略してケース１１にモータを取付け、このモータによりパワーブラシ１５を駆動するようにしてもよく、あるいは、ブラシの駆動手段を省略してもよい。
さらに、塵埃センサ３０をエルボ２０の連結部２５に設けた場合を示したが、吸引空気通路２１内であれば他の場所に設けてもよい。
【００４７】
また、表示器を有する表示部５１を床用吸込具１０の上面に設けた場合を示したが、この表示部５１は、掃除機本体１、吸引用ホース４の把持部６、延長管８など、他の場所に設けてもよい。
さらに、上述の各実施の形態では図示の電気掃除機に本発明を実施した場合を示したが、例えば、床用吸込具と掃除機本体が連結部を介して一体になった一体型や、ハンディ型あるいはポット型等、他の方式の電気掃除機にも本発明を実施することができる。
【００５０】
【発明の効果】
以上の説明から明らかなように、本発明の電気掃除機によれば、次の効果を得ることができる。
（１）電動送風機、集塵袋等を内蔵する掃除機本体と、この掃除機本体に吸引用ホース又は延長管を介して連結された床用吸込具とを具備し、掃除機本体、吸引用ホース、延長管及び床用吸込具の少なくとも１つに、ダニの繁殖が活発化する環境状態を検知するダニ検知器と、電動送風機によって発生する吸引空気流により回転してその出力によりダニ検知器を駆動する発電機と、発電機の出力が給電される１個の塵埃表示器とを設け、この塵埃表示器をダニ検知器の出力信号によって制御するようにしたので、塵埃情報を目視により確認でき、また表示部を簡素化することができる。
（２）上記（１）のダニ検知器の出力に対応して、吸引空気通路内の塵埃を検知する塵埃センサの塵埃検出精度を向上させるようにしたので、より微細な塵埃等を吸引することができ、これにより確実にダニを駆除することができる。
【００５５】
（３）電動送風機、集塵袋等を内蔵する掃除機本体と、この掃除機本体に吸引用ホース又は延長管を介して連結された床用吸込具とを具備し、掃除機本体、吸引用ホース、延長管及び床用吸込具の少なくとも１つに、ダニの繁殖が活発化する環境状態を検知するダニ検知器と、電動送風機によって発生する吸引空気流により回転してその出力によりダニ検知器を駆動する発電機と、吸引空気通路内の塵埃を検知する塵埃センサからの信号により塵埃情報を表示する塵埃表示器を設け、この塵埃表示器に発電機の出力を給電し、ダニ検知器の出力に対応して、塵埃センサの塵埃検出精度を向上させるようにしたので、より微細な塵埃等を吸引することができ、これにより確実にダニを駆除することができる。また、塵埃情報を目視により確認でき、塵埃の除去状況を容易に知ることができる。
【００５６】
（４）上記（１）、（２）又は（３）のダニ検知器の出力に対応して、電動送風機の吸引力を強化させるようにしたので、上記（１）〜（３）の効果に加えて、ダニの混在する微細な塵埃等を確実に捕集することができる。
【図面の簡単な説明】
【図１】本発明に係る実施の形態１の全体構成を示す説明図である。
【図２】図１の床用吸込具の斜視図である。
【図３】図２の底面図である。
【図４】図２のエルボの斜視図である。
【図５】図３の発電装置の詳細図である。
【図６】図２の表示部の一例を示す説明図である。
【図７】実施の形態１の作用説明図である。
【図８】実施の形態４の要部説明図である。
【図９】実施の形態４の作用説明図である。
【符号の説明】
１  掃除機本体、２  電動送風機、４  吸引用ホース、８  延長管、１０  床用吸込具、１１  ケース、１３  ブラシ収容部、１５  パワーブラシ、１８ａ〜１８ｃ  空気穴、２０  エルボ、３０  塵埃センサ、４１  発電装置、４２  発電機、４３  タービン、４７  ダニ検知器、５１  表示部、５２，５２ａ  ダニ表示器、５２ｂ  ダニ駆除表示器、５３，５３ａ  塵埃表示器、５３ｂ  塵埃除去表示器。
【図１】
0003551282.tif 000002
【図２】
0003551282.tif 000003
【図３】
0003551282.tif 000004
【図４】
0003551282.tif 000005
【図５】
0003551282.tif 000006
【図６】
0003551282.tif 000007
【図７】
0003551282.tif 000008
【図８】
0003551282.tif 000009
【図９】
0003551282.tif 000010